(57)【要約】【課題】コンテンツの表示位置に応じて、有効とする通信アンテナを適切に選択することにより、コンテンツの操作と通信操作とをより適切に行うことができるコンテンツ表示装置等を提供すること。【解決手段】コンテンツ表示装置は、表示部と同一面側に配置された複数の通信アンテナと、通信アンテナを用いて前記情報端末装置と非接触通信を行う非接触通信部と、表示部にコンテンツを表示するコンテンツ表示部と、コンテンツ表示部が表示したコンテンツの表示位置に基づいて、前記複数の通信アンテナのうち、一の通信アンテナを有効とする制御を行う通信アンテナ制御手段と、を有しており、情報端末装置は、有効とされた通信アンテナと、非接触通信を行い、表示されたコンテンツの付加情報を取得する。【選択図】図３
2020080168.tif 000002
【特許請求の範囲】
【請求項１】
表示部と、非接触通信アンテナと、
ユーザのタッチ操作を検出するタッチ検出部と、
前記表示部にコンテンツを表示する表示制御部と、
前記非接触通信アンテナにより情報を端末装置に非接触通信により送信する通信部と、
を備え、
前記非接触通信アンテナは、前記表示部の前面側に配置され、前記タッチ検出部と重ねて配置されていることを特徴とする表示装置。
【請求項２】
前記非接触通信アンテナは複数の非接触通信アンテナを含み、
前記複数の非接触通信アンテナのうちいずれかを有効化する制御を行うアンテナ制御部を更に備えることを特徴とする請求項１に記載の表示装置。
【請求項３】
有効化された前記非接触通信アンテナの位置を識別表示する識別表示制御部を更に備えることを特徴とする請求項２に記載の表示装置。
【請求項４】
前記通信部は、前記端末装置が表示装置に近接されたとき、前記複数の非接触通信アンテナのうちいずれかを用いて前記表示部に表示されたコンテンツに関する情報を当該端末装置に送信することを特徴とする請求項２又は３に記載の表示装置。
【請求項５】
前記通信部により非接触通信が行われている間は、前記タッチ検出部によるタッチ検出を無効とする請求項１から４の何れか一項に記載の表示装置。
【請求項６】
前記タッチ検出部の無効化される範囲は、有効化された前記非接触通信アンテナの近傍とすることを特徴とする請求項５に記載の表示装置。
【請求項７】
前記表示制御部は、前記非接触通信アンテナが前記コンテンツの表示位置に含まれていない場合、前記コンテンツの表示位置に含まれるように前記コンテンツの表示位置を調整することを特徴とする請求項１から６の何れか一項に記載の表示装置。
【請求項８】
前記非接触通信アンテナの位置と、前記コンテンツの付加情報との関係を記憶する記憶部を更に備え、
前記表示制御部は、前記付加情報に応じて前記コンテンツを対応する前記非接触通信アンテナの位置に表示させることを特徴とする請求項１から７の何れか一項に記載の表示装置。
【請求項９】
ネットワークに接続し、接続された他の装置から前記コンテンツを受信するネットワーク通信部を更に備え、
前記表示制御部は、前記他の装置から受信した前記コンテンツを表示することを特徴とする請求項１から８の何れか一項に記載の表示装置。
【発明の詳細な説明】
【技術分野】
【０００１】
本発明は、表示装置に関する。
【背景技術】
【０００２】
近年、ＮＦＣ（Near Field Communication）など非接触型ＩＣカードを用いて非接触通信を行う機器が増えている。これら非接触型通信を行うためには通信用のアンテナだけではなく、相手の非接触通信装置からの電波を取得し、通信制御を行うためのリーダーライター装置（以下、「ＲＷ装置」）が必要となる。
【０００３】
これらの非接触通信装置を用いてコンテンツ表示端末装置と、利用者の情報端末装置との間でデータを送受するような用途も提案されている。例えば広告用のディスプレイの横に設置されたアンテナに情報端末装置でタッチを行うと表示されている広告がタッチした情報端末装置にダウンロードされる、というような用途については実施されている（例えば、特許文献１参照）。
【先行技術文献】
【特許文献】
【０００４】
【特許文献１】特許第３５０６９３９号
【発明の概要】
【発明が解決しようとする課題】
【０００５】
しかしながら、コンテンツ表示装置上に複数の非接触通信アンテナを設けた場合においても、通信アンテナの位置はハードウェア的に固定されてしまうため、コンテンツ表示位置と通信手段の接触位置には相関関係がない。つまり、どの位置にコンテンツを表示していても、非接触通信アンテナが設けられている位置において通信操作を行う必要があり、直感的に操作を行うことはできなかった。
【０００６】
また、近年ショッピングセンター等に設置されているような大画面コンテンツ表示装置の場合、選択しているコンテンツに対する操作と、通信操作の位置が大きく離れてしまい、使い勝手が悪いという問題点が生じていた。
【０００７】
上述した課題に鑑み、本発明の目的は、コンテンツの表示位置に応じて、有効とする通信アンテナを適切に選択することにより、コンテンツの表示と通信操作とをより適切に行うことができるコンテンツ表示装置を提供することである。
【課題を解決するための手段】
【０００８】
本発明の表示装置は、
表示部と、非接触通信アンテナと、
ユーザのタッチ操作を検出するタッチ検出部と、
前記表示部にコンテンツを表示する表示制御部と、
前記非接触通信アンテナにより情報を端末装置に非接触通信により送信する通信部と、
を備え、
前記非接触通信アンテナは、前記表示部の前面側に配置され、前記タッチ検出部と重ねて配置されていることを特徴とする。
【発明の効果】
【０００９】
本発明によれば、表示部と同一面側に配置された複数の通信アンテナを有するコンテンツ表示装置において、表示部にコンテンツを表示し、表示したコンテンツの表示位置に基づいて、複数の通信アンテナのうち、一の通信アンテナが有効となる。そして、当該有効となった通信アンテナを利用して非接触通信を行うことが可能となる。これにより、表示されたコンテンツの位置と、通信アンテナとの位置が直感的に解るようになり、使い勝手のよいコンテンツ表示装置を提供することが可能となる。
【図面の簡単な説明】
【００１０】
【図１】第１実施形態に装置全体を説明するための図である。
【図２】第１実施形態におけるコンテンツ表示装置の機能構成を示すブロック図である。
【図３】第１実施形態におけるＮＦＣ通信部の機能構成を示すブロック図である。
【図４】第１実施形態における表示部、タッチ検出部、非接触アンテナの位置関係を説明するための図である。
【図５】第１実施形態における表示部、タッチ検出部、非接触アンテナの位置関係を説明するための図である。
【図６】第１実施形態におけるアンテナ情報について説明するための図である。
【図７】第１実施形態における処理を説明するための動作フローである。
【図８】第１実施形態における実施例を説明するための図である。
【図９】第２実施形態における実施例を説明するための図である。
【図１０】第３施形態における実施例を説明するための図である。
【図１１】第４実施形態における処理を説明するための動作フローである。
【図１２】第５実施形態における処理を説明するための動作フローである。
【図１３】第５実施形態における実施例を説明するための図である。
【図１４】第６実施形態における処理を説明するための動作フローである。
【図１５】第７実施形態における実施例を説明するための図である。
【図１６】第８実施形態における処理を説明するための動作フローである。
【図１７】第８実施形態における実施例を説明するための図である。
【発明を実施するための形態】
【００１１】
以下、本発明の実施の形態について添付図面を参照して説明する。なお、本実施形態では、一例として、本発明におけるコンテンツ提供システム、コンテンツ表示装置を、例えばショッピングモール等に設置されるインフォメーションディスプレイを例に説明するが、他の表示装置でも適用可能なことは勿論である。
【００１２】
［１．第１実施形態］
［１．１  全体構成］
まず、第１実施形態における全体構成について、図１を用いて説明する。図１は、コンテンツ表示装置１を示した図である。本実施形態では、縦置き（縦方向の解像度が多い状態）で装置が設置されている。
【００１３】
このようなコンテンツ表示装置１は、例えばショッピングモールや、駅、イベント会場等において種々の情報を表示するために設置されている。例えば、通信により受信されたコンテンツを表示することで、様々な情報（コンテンツ）を切り替えて表示することができる。
【００１４】
さらに、当該情報について、利用者がアクセスしやすいような工夫がされている。例えば、ＱＲコード（登録商標）を表示したりする場合や、赤外線によりコンテンツ情報を送信する装置が考えられる。
【００１５】
本実施形態では、近距離無線通信の一つである非接触通信（ＮＦＣ（Near Field Communication））を用いて、利用者の情報端末装置３にコンテンツ情報を送信している。
【００１６】
利用者が、情報端末装置３をコンテンツ表示装置１にかざす（タッチする）ことにより、ＮＦＣにより通信が開始される。これにより、指定されたコンテンツ情報が、情報端末装置３に送信されることとなる。
【００１７】
［１．２  機能構成］
つづいて、本実施形態におけるコンテンツ表示装置１の機能構成について、図２を用いて説明する。図２に示すように、コンテンツ表示装置１は、制御部１１０と、ＮＦＣ通信部１２０と、ＮＷ通信部１３０と、表示部１４０と、タッチ検出部１５０と、記憶部１６０とを備えて構成されている。
【００１８】
制御部１１０は、コンテンツ表示装置１の全体を制御するための機能部である。制御部１１０は、記憶部１６０に記憶されている各種プログラムを読み出して実行することにより各種機能を実現しており、例えばＣＰＵ（Central Process Unit）等により構成されている。
【００１９】
ＮＦＣ通信部１２０は、非接触通信を行う為の機能部である。例えば、ＩＳＯ／ＩＥＣ  １４４４３や、ＩＳＯ／ＩＥＣ  １８０９２（Ｆｅｌｉｃａ（登録商標））等の規格により通信が行われる。
【００２０】
ここで、ＮＦＣ通信部１２０について、図３を用いて詳細に説明する。ＮＦＣ通信部１２０は、非接触アンテナ１２１０と、アンテナ切替え手段１２２０と、アンテナ制御手段１２３０と、非接触通信手段１２４０とを備えて構成されている。
【００２１】
ここで、非接触アンテナ１２１０は、複数のアンテナから構成されている。例えば、第１非接触アンテナ１２１０ａ、第２非接触アンテナ１２１０ｂ、・・・、第ｎ非接触アンテナ１２１０ｎを有している。
【００２２】
これらの複数の非接触アンテナは、アンテナ切替え手段１２２０に接続されている。このアンテナ切替え手段１２２０により、利用可能なアンテナが切り替えられる。また、この切替え制御については、アンテナ制御手段１２３０が行っている。なお、本実施形態では、ＮＦＣ通信部１２０をモジュールと説明しているので、アンテナ制御手段１２３０を設けているが、制御部１１０が行っても良い。
【００２３】
非接触通信手段１２４０は、コンテンツ表示装置１が情報端末装置３と非接触通信（例えば、ＮＦＣ通信）を行うための通信部である。情報端末装置３のＮＦＣ通信部と、非接触アンテナを介して通信を行うこととなる。ここで、本実施形態では、非接触アンテナ１２１０を、所定時間（例えば、１０ｍｓ）毎に順次切り替える構成となっている。なお、非接触アンテナ１２１０を切り替える時間としては、予め定められていても良いし、設定により切り替えられるようにしても良い。また、コンテンツの種類や、時間によって切り替える設定（例えば、店舗開店直後や閉店間際は間隔を長くしたり、休日は間隔を短くしたりするような設定）としても良い。
【００２４】
なお、通信の一例として、情報端末装置３のＮＦＣ通信部が、例えば第２非接触アンテナ１２１０ｂで検出された場合について説明する。この場合、アンテナ切替え手段１２２０は、第２非接触アンテナ１２１０ｂに使用するアンテナを固定する。そして、非接触通信手段１２４０は、第２非接触アンテナ１２１０ｂを介して、情報端末装置３と通信を行うこととなる。
【００２５】
ＮＷ（Network）通信部１３０は、ネットワーク（例えば、無線ＬＡＮや、３Ｇ携帯通信網、ＬＴＥ通信網）に接続し、他の装置、サーバ等と通信を行うための機能部である。例えば、ＮＷ通信部１３０を介してコンテンツを受信したりする。
【００２６】
表示部１４０は、各種情報を表示するための表示装置である。例えば、液晶ディスプレイ（ＬＣＤ）や、有機ＥＬパネル等により構成されている。
【００２７】
タッチ検出部１５０は、利用者のタッチ操作を検出するための機能部である。タッチを検出する方式としては、抵抗膜方式、赤外線方式、電磁誘導方式、静電容量方式等といった何れの方法を用いてもよい。また、表示部１４０と、タッチ検出部１５０とを一体に形成して、タッチパネルとして利用されるのが一般的である。
【００２８】
ここで、図４及び図５を用いて、各装置の構成について説明する。すなわち、表示部１４０の表示パネルの上に、タッチ検出部１５０が設けられている。これにより、利用者からのタッチ入力を検出することができる。
【００２９】
また、タッチ検出部１５０の上に、非接触アンテナ１２１０が配置されている。これにより、表示部１４０でコンテンツが表示されている上に、利用者が情報端末装置３をタッチすることにより、ＮＦＣを利用した通信が可能となる。
【００３０】
なお、表示部１４０と、タッチ検出部１５０との間に非接触アンテナ１２１０を配置しても同様の効果は得られる。すなわち、表示部１４０と同一面側に非接触アンテナ１２１０が配置されている。
【００３１】
また、表示部１４０上には複数の非接触アンテナ１２１０が配置されている。これにより、コンテンツに応じて、利用する非接触アンテナ１２１０を決定することとなる。
【００３２】
記憶部１６０は、コンテンツ表示装置１の動作に必要な各種プログラムや、各種データが記憶されている機能部である。記憶部１６０は、例えば、半導体メモリや、ＨＤＤ（Hard Disk Drive）等により構成されている。
【００３３】
また、記憶部１６０には、コンテンツデータ１６２と、アンテナ情報１６４とが記憶されている。
【００３４】
コンテンツデータは、表示部１４０に表示するコンテンツに関する情報を記憶している。例えば、表示する静止画像や、動画像を記憶している。また、更に当該コンテンツに対応した付加情報が記憶されている。
【００３５】
ここで、付加情報とは、ＮＦＣ通信部１２０を介して情報端末装置３に送信される情報である。例えば、コンテンツに関連する情報をしめすＵＲＬ情報であったり、割引情報であったり、画像等の情報であったりする。利用者は、コンテンツ表示装置１のＮＦＣ通信部１２０（第ｎ非接触アンテナ１２１０ｎ）を情報端末装置３でタッチすることにより、付加情報を取得することができる。
【００３６】
アンテナ情報１６４は、非接触アンテナに関する情報が記憶されている。例えば、非接触アンテナが表示部１４０に表示される表示画面の座標のどこにあるかを記憶している。例えば、図６に表示座標と非接触アンテナが位置する座標との関係について説明する。
【００３７】
例えば、（０，０）−（Ｘｍａｘ，Ｙｍａｘ）の座標系の中で、非接触アンテナＡ１が、（Ｘａ１，Ｙａ１）−（Ｘａ２，Ｙａ２）に位置している。例えば、このときコンテンツＣ１が、（Ｘ１，Ｙ１）−（Ｘ２，Ｙ２）に表示されたとする。この場合は、コンテンツＣ１は、非接触アンテナＡ１上に表示されていると判定することができる。また、非接触アンテナＡ１上に対応して表示されているのはコンテンツＣ１であることも判定することができる。このように、非接触アンテナのある座標と、コンテンツが表示されている座標から、非接触アンテナと、コンテンツとの対応を判定する。
【００３８】
［１．３  処理の流れ］
つづいて、第１実施形態における処理の流れについて、説明する。
【００３９】
まず、本実施形態のメインとなる処理について、図７を用いて説明する。まず、付加情報を有するコンテンツが表示部１４０に表示される（ステップＳ１０２）。
【００４０】
ここで、情報端末装置３を、何れかの非接触アンテナで検出する（ステップＳ１０４；Ｙｅｓ）。このとき、現在コンテンツ（付加情報を有するコンテンツ）が表示されている座標を取得する（ステップＳ１０６）。
【００４１】
取得された座標から通信アンテナを特定する（ステップＳ１０８）。具体的には、表示されているコンテンツの座標に含まれる非接触アンテナをアンテナ情報１６４から読み出して、通信アンテナとして特定する。
【００４２】
つづいて、特定された通信アンテナ（非接触アンテナ）を有効化し（ステップＳ１１０）、ＮＦＣの通信が検出されたら、ＮＦＣ通信処理を実行する（ステップＳ１１２；Ｙｅｓ→ステップＳ１１４）。すなわち、ＮＦＣ通信を実行することにより、表示されているコンテンツの付加情報を情報端末装置３に送信する。
【００４３】
［１．４  実施例］
本実施形態の実施例について、図を用いて説明する。図８は、表示部１４０に、非接触アンテナ１２１０を配置した図を模式的に示している図である。例えば、非接触アンテナＡ１として第１非接触アンテナ１２１０ａが配置される。
【００４４】
また、図８の表示画面Ｗ１００には、コンテンツＣ１００が表示されている。このコンテンツＣ１００は、非接触アンテナＡ７の上に表示されている。したがって、複数ある非接触アンテナのうち、非接触アンテナＡ７だけが「ＯＮ」となる（通信アンテナとして特定される）。すなわち、全ての非接触アンテナをＯＮにする必要が無く、情報端末装置３が、非接触アンテナＡ７以外をタッチしたとしても何も実行されない。
【００４５】
このように、本実施形態によれば、表示されているコンテンツの位置に応じて、タッチする位置を可変させることが出来るコンテンツ表示装置１を実現することが可能である。
【００４６】
本実施形態によれば、複数の非接触アンテナのうち、有効となる非接触アンテナを選択することにより、非接触通信を行う非接触通信部はひとつのみで行うことができるようにする。そのことにより、例えば、非接触通信部の一例として、ＩＣカードの送受信機の搭載数が低減され、コスト削減の効果を期待出来る。
【００４７】
また、現在選択されているコンテンツによって切り替え対象とするアンテナの数や位置を変更することを可能とし、現在選択可能となっている非接触アンテナの位置をコンテンツを表示することで、利用者に示すことになる。したがって、利用者は自然な操作を行うことができるようにする。
【００４８】
［２．第２実施形態］
つづいて、第２実施形態について説明する。第２実施形態は、コンテンツと非接触アンテナとの関係について説明するための実施形態である。
【００４９】
すなわち、第１実施形態では、表示されたコンテンツに含まれた位置の非接触アンテナを有効として説明したが、例えば非接触アンテナが完全に含まれていない場合には、コンテンツの表示領域に接する一番近い非接触アンテナや、重畳されている領域が最も大きい非接触アンテナを通信アンテナとして特定する実施形態である。
【００５０】
図９は、本実施形態において、表示画面Ｗ２００においてコンテンツＣ２００が表示されている実施形態である。この場合、コンテンツＣ２００の表示領域内に完全に含まれている非接触アンテナが存在していない。
【００５１】
したがって、コンテンツに接している非接触アンテナ又はもっとも重なる領域が多い非接触アンテナである非接触アンテナＡ７を通信する通信アンテナとして特定する（図７のステップＳ１０８）。
【００５２】
このように、本実施形態によれば、完全にコンテンツに非接触アンテナが含まれていなかったとしても、コンテンツ近傍にある非接触アンテナを通信アンテナとして特定し、利用する事が可能である。
【００５３】
このような実施形態は、とくにコンテンツＣ２００を利用者が任意に移動させたことにより、非接触アンテナが配置された位置とずれた場合に有効な実施形態である。
【００５４】
［３．第３実施形態］
つづいて、第３実施形態について説明する。第３実施形態は、特定可能な非接触アンテナが複数有る場合は、所定のルールにしたがって選択される実施形態である。
【００５５】
例えば、表示されたコンテンツの近傍に複数の非接触アンテナがある場合には、表示されたコンテンツの右側にある非接触アンテナが選択される実施形態について説明する。
【００５６】
図１０は、本実施形態において、表示画面Ｗ３００において、コンテンツＣ３００が表示されている実施形態である。この場合、複数の非接触アンテナが存在しているが、本実施形態では、右側に位置する非接触アンテナＡ９を特定し、通信アンテナとする。
【００５７】
このように、コンテンツが表示された場合に、所定方向の非接触アンテナを選択して利用することとしても良い。これは、例えば図１０のように「タッチ」という識別表示Ｃ３１０がされている場合、利用者は右側をタッチする傾向がある。したがって、右側の非接触アンテナを優先的に選択するという処理が有効である。
【００５８】
［４．第４実施形態］
つづいて、第４実施形態について説明する。第４実施形態は、コンテンツに付加情報に基づく識別表示を行う（コンテンツ識別情報を表示する）実施形態である。
【００５９】
本実施形態における処理の流れを図１１に示す。なお、図１１の処理フローは、第１実施形態で説明した図７の処理フローを置き換えたものであり、同一の処理には同一の符号を付してその説明を省略する。
【００６０】
すなわち、図１１においては、コンテンツを表示した後（ステップＳ１０２）、当該コンテンツ表示に付加情報に基づいた識別表示を行う（ステップＳ２０２）。例えば、ＵＲＬの付加情報が送信されたり、クーポン情報が送信されたり、画像・音楽データが送信されたりすることが、当該識別表示により利用者は認識することが可能となる。
【００６１】
［５．第５実施形態］
つづいて、第５実施形態について説明する。第５実施形態は、利用者にどこをタッチすれば良いかを誘導するために、通信アンテナ（非接触アンテナ）を識別表示（通信アンテナ識別情報を表示する）する実施形態である。
【００６２】
本実施形態における処理の流れを図１２に示す。なお、図１２の処理フローは、第１実施形態で説明した図７の処理フローを置き換えたものであり、同一の処理には同一の符号を付してその説明を省略する。
【００６３】
すなわち、通信アンテナを有効化した後（ステップＳ１１０）、当該通信アンテナについて識別表示を行う（ステップＳ３０２）。これにより、利用者はどこをタッチすれば良いか明確となる。
【００６４】
例えば、図１３の表示画面Ｗ５００では、コンテンツＣ５００が、非接触アンテナＡ７の位置に表示されている。ここで、非接触アンテナＡ７を利用者が視認できるように、通信可能な位置に識別表示Ｒ５００を行っている。利用者は、識別表示Ｒ５００の位置をタッチすることで、付加情報を取得することができる。
【００６５】
なお、コンテンツＣ５１０のように、「タッチ！」と明確に表示しても良い。これにより、利用者はより明確にタッチすべき位置を視認することができる。なお、コンテンツＣ５１０を、非接触アンテナの位置に表示しても良い。これにより、利用者は「タッチ！」という表示をタッチすれば良く、直感的な操作を行うことが可能となる。
【００６６】
なお、ここで、識別表示を、付加情報の種類に応じて、異なる表示としても良い。例えば、付加情報として画像の場合は識別表示を赤枠で、ＷＥＢページ（ＵＲＬ）の場合は識別表示を青枠で表示するという構成としても良い。
【００６７】
［６．第６実施形態］
つづいて、第６実施形態について説明する。第６実施形態は、非接触通信が行われる場合はタッチパネルの機能をＯＦＦとする（すなわち、タッチパネルによる操作を無効にする）実施形態である。
【００６８】
本実施形態における処理の流れを図１４に示す。なお、図１４の処理フローは、第１実施形態で説明した図７の処理フローを置き換えたものであり、同一の処理には同一の符号を付してその説明を省略する。
【００６９】
すなわち、通信アンテナを有効化した後（ステップＳ１１０）、タッチパネルを無効とする（ステップＳ４０２）。
【００７０】
ここで、ＮＦＣ通信が検出されれば、ＮＦＣ通信処理を実行し（ステップＳ１１２；Ｙｅｓ→ステップＳ１１４）、ＮＦＣ通信終了後にタッチパネルを有効にする（ステップＳ４０６）。
【００７１】
他方、タッチパネルを無効にしても、所定時間経過するまでＮＦＣ通信が開始されなければ、再びタッチパネルを有効にする（ステップＳ１１２；Ｎｏ→ステップＳ４０４；Ｙｅｓ→ステップＳ４０６）。
【００７２】
このように、本実施形態によれば、非接触通信（ＮＦＣ通信）が開始される場合はタッチパネルが無効となる。したがって、非接触通信を行うときの指タッチ検出による誤動作がなくなる。
【００７３】
なお、ステップＳ４０２において、タッチパネルを無効化する範囲は、当該通信アンテナ近傍だけとしても良い。すなわち、タッチパネル全体としては操作可能であるが、非接触通信を行うときの指タッチ検出による誤動作を防ぐといったことが可能となる。
【００７４】
［７．第７実施形態］
つづいて、第７実施形態について説明する。第７実施形態は、非接触アンテナを複数利用した場合の実施形態である。
【００７５】
例えば、図１５は、表示画面Ｗ７００の一例を示した図である。表示画面Ｗ７００には、コンテンツＣ７００が表示されており、コンテンツＣ７００は非接触アンテナＡ７と、非接触アンテナＡ１０とに重なって表示されている。
【００７６】
この場合、アンテナ制御手段１２３０の制御により、非接触アンテナが切り替えて動作するようにする。すなわち、所定の時間間隔で非接触アンテナＡ７と、非接触アンテナＡ１０とが通信可能となっている。
【００７７】
ここで、情報端末装置３を検出すると、アンテナ制御手段１２３０により検出された非接触アンテナを、通信アンテナと特定し、有効化する。すなわち、利用者としては、非接触アンテナＡ７でも、非接触アンテナＡ１０でも、付加情報を取得することができる。
【００７８】
［８．第８実施形態］
つづいて、第８実施形態について説明する。第８実施形態は、コンテンツを非接触アンテナがある位置に表示させる実施形態である。
【００７９】
例えば、コンテンツを表示する場合に、図１６のコンテンツ表示処理が実行される。まず、コンテンツの表示位置を決定する（ステップＳ５０２）。ここで、表示されたコンテンツ内に非接触アンテナが含まれているか否かを判定する（ステップＳ５０４）。
【００８０】
表示されたコンテンツ内に非接触アンテナが含まれていない場合には、非接触アンテナが含まれる位置にコンテンツの表示位置を調整する（ステップＳ５０４；Ｙｅｓ→ステップＳ５０６）。
【００８１】
本実施形態によれば、コンテンツを表示する場合に、非接触アンテナの位置がずれている場合は、コンテンツの表示位置を調整することが可能となる。これにより、例えば、アンテナの配置が異なるコンテンツ表示装置１であっても、適切にコンテンツを表示させることが可能となる。
【００８２】
また、利用者がコンテンツを移動させたときに、自動的にコンテンツを移動させるといったことも可能となる。例えば図１７（ａ）は、コンテンツＣ８００が表示された表示画面Ｗ８００の一例を示す図である。
【００８３】
コンテンツＣ８００は、利用者が配置したコンテンツである。この場合、非接触アンテナＡ７の位置から、コンテンツＣ８００はずれた位置に表示されている。したがって、方向Ｓ１にコンテンツＣ８００を自動的に移動する。
【００８４】
そして、図１７（ｂ）に示すように、コンテンツＣ８００が、非接触アンテナＡ７の位置に自動的に表示されるようになる。このとき、コンテンツが表示されている位置から、最も近傍のアンテナが含まれるように移動しても良いし、他のコンテンツと重ならない位置に移動する事としても良い。
【００８５】
［９．第９実施形態］
つづいて、第９実施形態について説明する。第９実施形態は、非接触アンテナの位置と、付加情報の種類・内容との関係を予め管理しており、付加情報の種類・内容に応じてコンテンツを表示させる実施形態である。
【００８６】
例えば、非接触アンテナ１０は「クーポン情報」、非接触アンテナ１２は「ＷＥＢサイト」と対応づけて管理されているとする。この場合、表示されるコンテンツの付加情報に応じて、表示されるコンテンツの位置も決まることとなる。
【００８７】
また、コンテンツの種類が「子供用コンテンツ」の場合は、下段に配置されているアンテナに、「大人用コンテンツ」の場合には中段に配置されているアンテナにそれぞれ割り当てられているとする。
【００８８】
この場合、コンテンツの内容に応じて、どの位置にコンテンツが表示されるかということを自動的に決めることが可能となる。
【００８９】
［１０．変形例］
以上、この発明の実施形態について図面を参照して詳述してきたが、具体的な構成はこの実施形態に限られるものではなく、この発明の要旨を逸脱しない範囲の設計等も特許請求の範囲に含まれる。
【００９０】
また、実施形態において各装置で動作するプログラムは、上述した実施形態の機能を実現するように、ＣＰＵ等を制御するプログラム（コンピュータを機能させるプログラム）である。そして、これら装置で取り扱われる情報は、その処理時に一時的に一時記憶装置（例えば、ＲＡＭ）に蓄積され、その後、各種ＲＯＭやＨＤＤの記憶装置に格納され、必要に応じてＣＰＵによって読み出し、修正・書き込みが行なわれる。
【００９１】
また、市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれるのは勿論である。
【００９２】
また、上述した実施形態では、ＮＦＣ通信が可能な情報端末装置を例に説明したが、端末装置ではなく、単なるＮＦＣ通信可能なカード（例えば、Ｓｕｉｃａ（登録商標）等の交通系カード、Ｅｄｙ（登録商標）等の電子マネー系カード、ポイントカード、会員証等）であっても良い。
【００９３】
また、上述した実施形態は、矛盾しない範囲で各実施形態を組み合わせても実現可能なことは勿論である。例えば、第２実施形態と第４実施形態とを組み合わせて実行したり、第１実施形態と第８実施形態とを組み合わせて実行したりすることが可能となる。
【符号の説明】
【００９４】
１  コンテンツ表示装置
３  情報端末装置
１１０  制御部
１２０  ＮＦＣ通信部
１２１０  非接触アンテナ
１２２０  アンテナ切替え手段
１２３０  アンテナ制御手段
１２４０  非接触通信手段
１３０  ＮＷ通信部
１４０  表示部
１５０  タッチ検出部
１６０  記憶部
１６２  コンテンツデータ
１６４  アンテナ情報
【図１】
2020080168.tif 000003
【図２】
2020080168.tif 000004
【図３】
2020080168.tif 000005
【図４】
2020080168.tif 000006
【図５】
2020080168.tif 000007
【図６】
2020080168.tif 000008
【図７】
2020080168.tif 000009
【図８】
2020080168.tif 000010
【図９】
2020080168.tif 000011
【図１０】
2020080168.tif 000012
【図１１】
2020080168.tif 000013
【図１２】
2020080168.tif 000014
【図１３】
2020080168.tif 000015
【図１４】
2020080168.tif 000016
【図１５】
2020080168.tif 000017
【図１６】
2020080168.tif 000018
【図１７】
2020080168.tif 000019